(57)【要約】  本発明は、キャリア構造体に取り付けられた複数のタンク壁（９，１０，１１，１２，１３，１４，１５，１６，１７）により画定された多面体形状を有する耐漏性の断熱タンクの断熱空間内へトレーサガスを注入するための方法に関し、各タンク壁は断熱バリアを備えており、断熱バリアは、キャリア構造体に固定された断熱要素と、断熱バリアの断熱要素に対して設けられているメンブレンと、を備えており、各タンク壁の断熱バリアは互いに繋がって共に前記断熱空間を画定し、複数のタンク壁は底壁（１１）を含み、前記注入方法は、トレーサガスを注入するための少なくとも１つの装置（１９）を底壁（１１）のメンブレンに貫通させて底壁（１１）の断熱バリアに入れて用いることにより、トレーサガスを断熱空間に注入することを含む。【選択図】図２
2021518542.tif 000002
【特許請求の範囲】
【請求項１】
キャリア構造体（４）に取り付けられた複数のタンク壁（９，１０，１１，１２，１３，１４，１５，１６，１７）により画定された多面体形状を有する耐漏性の断熱タンクの断熱空間内へトレーサガスを注入するための方法であって、
各タンク壁は断熱バリア（２，６）を備えており、
前記断熱バリア（２，６）は、
前記キャリア構造体（４）に固定された断熱要素（３，７）と、
前記断熱バリア（２，６）の前記断熱要素（３，７）に対して設けられているメンブレン（５，８）と、
を備えており、
各タンク壁の前記断熱バリア（２，６）は他のタンク壁（９，１０，１１，１２，１３，１４，１５，１６，１７）の前記断熱バリア（２，６）と繋がって共に前記断熱空間を画定し、
前記複数のタンク壁は底壁（１１）を含み、
前記注入方法は、
トレーサガスを注入するための少なくとも１つの装置（１９，２８）を前記底壁（１１）の前記メンブレン（５，８）に貫通させて前記底壁（１１）の前記断熱バリア（２，６）に入れて用いることにより、トレーサガスを前記断熱空間に注入して、前記容器の内部空間から前記断熱空間へ導入して輸送するステップ
を含み、
前記トレーサガスを注入するための少なくとも１つの装置（１９）を用いてトレーサガスを注入するステップの前に、
前記メンブレン（５，８）に設けられた孔（２０）に持上具（２５）を通して導入し、前記底壁（１１）の前記メンブレン（５，８）と前記断熱バリア（２，６）との間に当該持上具（２５）を挟むように配置することにより、前記トレーサガスを注入するための装置（１９）の領域において前記断熱バリア（２，６）から前記メンブレン（５，８）を離す
ことを特徴とする方法。
【請求項２】
前記トレーサガスは、ヘリウム、アンモニア、及び窒素と水素分子との混合気から選択されたものである、
請求項１記載の方法。
【請求項３】
前記底壁（１１）は２つの対称軸を有する矩形の形状を有し、前記２つの対称軸は前記底壁を４つの領域に区切り、
前記トレーサガスは、前記トレーサガスを注入するための少なくとも４つの各装置（１９，２８）を前記底壁（１１）の前記メンブレン（５，８）に通して当該底壁（１１）の前記断熱バリアに入れて用いることにより注入され、前記底壁の４つの各領域に、前記トレーサガスを注入するための少なくとも４つの装置（１９，２８）が１つずつ備え付けられる、
請求項１又は２記載の方法。
【請求項４】
前記トレーサガスを注入するための装置又は前記トレーサガスを注入するための各装置（１９，２８）は連結部材（２２，３１）を備えており、
前記連結部材（２２，３１）は、前記底壁（１１）の前記メンブレン（５，８）に形成された孔（２０，２９）の周部において当該メンブレン（５，８）に耐漏性に溶接されており、前記連結部材（２２，３１）は、トレーサガスの供給源に接続された管（１８）と組み合わされている、
請求項１から３までのいずれか１項記載の方法。
【請求項５】
前記連結部材（２２）と前記メンブレン（５，８）に形成された前記孔（２０）とに前記持上具（２５）を通して導入し、当該持上具（２５）のフック（２７）が前記底壁（１１）の前記メンブレン（５，８）と前記断熱バリア（２，６）との間に挿入されるように当該持上具（２５）を位置決めする、
請求項４記載の方法。
【請求項６】
キャリア構造体（４）に取り付けられた複数のタンク壁（９，１０，１１，１２，１３，１４，１５，１６，１７）により画定された多面体形状を有する耐漏性の断熱タンクのメンブレンの耐漏性を試験するための方法であって、
各タンク壁は断熱バリア（２，６）を備えており、
前記断熱バリア（２，６）は、前記キャリア構造体（４）に固定された断熱要素（３，７）と、前記断熱バリア（２，６）の前記断熱要素（３，７）に対して設けられているメンブレン（５，８）と、を備えており、
前記タンク壁の前記断熱バリア（２，６）は互いに繋がって共に前記断熱空間を画定し、
前記複数のタンク壁は底壁（１１）を含み、
前記耐漏性を試験するための方法は、
−請求項１から５までのいずれか１項記載のトレーサガスを注入するための方法を実施して前記断熱空間にトレーサガスを注入するステップと、
−前記メンブレン（５，８）と共に耐漏性の検出チャンバ（６１）を画定するように構成された検出フード（５５）と、耐漏性の前記検出チャンバ（６１）に結合されると共に分析装置（５６）に結合される真空ポンプ（５７）と、を備えた漏れ検出装置（５４）を準備するステップと、
−耐漏性の前記検出チャンバ（６１）が溶接ビードの試験対象の部分（６２）と対向配置されるように前記検出フード（５５）を前記メンブレン（５，８）の前記断熱空間に対向する面に対して配置するステップと、
−前記真空ポンプ（５７）を用いて前記検出チャンバ（６１）を負圧下におくステップと、
−前記検出チャンバ（６１）内に存在する気相を前記分析装置（５６）に向かって移送するステップと、
−前記分析装置（５６）を用いて前記気相を分析し、当該気相中のトレーサガスの濃度を表す変数を出力するステップと、
を有することを特徴とする方法。
【請求項７】
前記検出フード（５５）は中央コア部（５９）と耐漏性シール（６０）とを備えており、
前記は中央コア部（５９）と前記耐漏性シール（６０）とは互いに取り付けられており、前記メンブレン（５，８）と共に前記検出チャンバ（６１）を画定するように配置されている、
請求項６記載のメンブレンの耐漏性を試験するための方法。
【請求項８】
前記耐漏性シール（６０）は、前記中央コア部（５９）に取り付けられたケーシング（６３）と、前記ケーシング（６３）を延在する周囲耐漏性リップ（６４）と、を備えている、
請求項７記載のメンブレンの耐漏性を試験するための方法。
【請求項９】
前記周囲耐漏性リップ（６４）は前記検出フード（５５）の外側に向かって曲げられ、前記検出チャンバ（６１）が負圧下におかれたときに前記周囲耐漏性リップ（６４）が前記メンブレン（５，８）に対して撓んで押さえ付けられるように構成されている、
請求項７又は８記載のメンブレンの耐漏性を試験するための方法。
【請求項１０】
前記溶接ビードの前記部分（６２）は、前記メンブレンの少なくとも１つのコルゲーションによって横切られ、前記周囲耐漏性リップ（６４）は当該コルゲーションの幾何学的形態にフィットする形状である、
請求項７から９までのいずれか１項記載のメンブレンの耐漏性を試験するための方法。
【請求項１１】
前記メンブレン（８）の前記少なくとも１つのコルゲーションは前記タンクの内部に向かって突出し、
前記周囲耐漏性リップ（６４）は、当該コルゲーションの形状に対応する形状を有する少なくとも２つの凹み（６５）を有し、前記検出フード（５５）は、前記凹み（６５）が当該コルゲーションを跨ぐように前記メンブレン（８）に対して配置される、
請求項１０記載のメンブレンの耐漏性を試験するための方法。
【請求項１２】
前記メンブレン（５，８）の前記少なくとも１つのコルゲーションは、前記タンクの外部に向かって突出し、
前記周囲耐漏性リップ（６４）は、当該コルゲーションの形状に対応する形状を有する少なくとも２つの突出領域（６９）を有し、前記検出フード（５５）は、当該突出領域が当該コルゲーションに挿入されるように前記メンブレン（５）に対して配置される、
請求項１０記載のメンブレンの耐漏性を試験するための方法。
【請求項１３】
前記耐漏性シール（６０）は２０〜５０のショアＡ硬さを有するエラストマ材料から成る、
請求項７から１２までのいずれか１項記載のメンブレンの耐漏性を試験するための方法。
【請求項１４】
前記検出フード（５５）には、前記周囲耐漏性リップ（６４）を前記メンブレン（８）に押さえ付けることができる挟持システム（６６）が備えられており、
前記検出チャンバ（６１）の耐漏性を保証するため、前記検出チャンバ（６１）を負圧下におく前に前記挟持システム（６６）を作動させる、
請求項７から１３までのいずれか１項記載のメンブレンの耐漏性を試験するための方法。
【請求項１５】
前記検出チャンバ（６１）は絶対圧力値が最大５０〜１０００Ｐａの負圧下におかれる、
請求項６から１４までのいずれか１項記載のメンブレンの耐漏性を試験するための方法。
【請求項１６】
前記漏れ検出装置はさらに均質化チャンバ（７０）を備えており、
前記均質化チャンバ（７０）は前記検出チャンバ（６１）と前記分析装置（５６）との間に配置されており、
前記検出フード（５５）は、バルブを備えたガス流入口（７１）を備えており、
前記均質化チャンバ（７０）と前記ガス流入口（７１）とは、前記検出チャンバ（６１）の両端に結合されており、
前記検出チャンバ（６１）を負圧下におく間、前記ガス流入口（７１）の前記バルブは閉弁され、
前記検出チャンバ内（６１）に存在する気相を移送するステップは、
−前記ガス流入口（７１）の前記バルブを開弁し、前記検出チャンバ（６１）内に存在する気相を前記均質化チャンバ（７０）へ移送するステップと、
−前記均質化チャンバ（７０）から前記気相を前記分析装置（５６）へ向かって移送するステップと、
を有する、
請求項６から１５までのいずれか１項記載のメンブレンの耐漏性を試験するための方法。
【発明の詳細な説明】
【技術分野】
【０００１】
本発明は、例えば低温流体等の流体を貯蔵及び／又は輸送するための耐漏性の断熱メンブレンタンクの分野に関する。
【０００２】
本発明は具体的には、トレーサガスを使用してタンクの耐漏性メンブレンの耐漏性を試験するための方法と、トレーサガスを拡散するための方法と、に関する。
【背景技術】
【０００３】
ＫＲ１０２０１０００５０１２８に、ＬＮＧを貯蔵するための耐漏性の断熱タンクのメンブレンの耐漏性を試験するための方法が開示されている。このタンクは多層構造を有し、外側から内側に向かって順に、二次断熱空間と、二次耐漏性メンブレンと、一次断熱空間と、タンクに入っている液化天然ガスと接触する一次耐漏性メンブレンと、を備えている。この方法は具体的には、一次耐漏性メンブレンのメタルシートを耐漏性で接続するための溶接ビードを通る漏れの検出をターゲットとしている。この方法は、一次断熱空間内にトレーサガスを注入し、その後、トレーサガス分析器を備えた検出装置をタンク内で、一次耐漏性メンブレンの溶接ビードに沿って動かす。このようにして、検出装置がトレーサガスの存在を検出した場合、一次耐漏性メンブレンの耐漏性に欠陥が存在すると判断することができる。かかる検出方法は、トレーサガスが一次断熱空間内全体に均質に拡散した場合にしか高信頼性の結果を保証できないので、上述の方法では一次断熱空間内へのトレーサガスの注入が重要となる。
【発明の概要】
【０００４】
本発明の基礎となる思想は、断熱空間全体におけるトレーサガスの高信頼性の拡散を達成できるトレーサガスの拡散方法を提供することである。
【０００５】
一実施形態では本発明は、キャリア構造体に取り付けられた複数のタンク壁により画定された多面体形状を有する耐漏性の断熱タンクの断熱空間内へトレーサガスを注入するための方法を提供し、各タンク壁は断熱バリアを備えており、断熱バリアは、キャリア構造体に固定された断熱要素と、断熱バリアの断熱要素に対して設けられているメンブレンと、を備えており、各タンク壁の断熱バリアは他のタンク壁の断熱バリアと繋がって共に前記断熱空間を画定し、複数のタンク壁は底壁を含み、前記注入方法は、トレーサガスを注入するための少なくとも１つの装置を底壁のメンブレンに貫通させて底壁の断熱バリアに入れて用いることにより、トレーサガスを断熱空間に注入することを含む。
【０００６】
有利には、トレーサガスを注入するための少なくとも１つの装置を用いてトレーサガスを注入する工程の前に、メンブレンに設けられた孔に持上具を通して導入し、底壁のメンブレンと断熱バリアとの間に当該持上具を挟むように配置することにより、トレーサガスを注入するための装置の領域において断熱バリアからメンブレンを離す。
【０００７】
本発明の１つの有利な特徴は、トレーサガスが容器の内部空間から上記の断熱空間へ導入されて輸送されることである。
【０００８】
「容器の内部空間」との文言は、容器の機能的領域、すなわち低温流体等の流体の貯蔵空間を意味し、容器の外側領域あるいは外部領域の反対である。
【０００９】
伝統的にはトレーサガスは、タンクの外側ゾーンあるいは外部ゾーンによって、又はこれを介して、断熱空間内へ輸送及び導入され、これは、上記で示した欠点を含む一定数の欠点となる。これらの欠点は、特にタンクに含まれている流体が断熱空間に流入するおそれがないことを保証するために上記のメンブレンの漏れ試験を行おうとする場合に問題となる。
【００１０】
トレーサガスの蒸気密度は空気の蒸気密度より低いので、トレーサガスは断熱空間内で上昇する。それゆえ、底部を介して底壁のメンブレンからトレーサガスを注入すると、トレーサガスが断熱空間内に拡散するのを保証することができ、この拡散は、従来技術で実践されているようにタンクの天井壁に形成されたドームを通過する管にトレーサガスを通して導入する場合よりも高速で均質となる。
【００１１】
複数の実施形態では、トレーサガスを注入するための上記方法は、下記の特徴のうち１つ又は複数を含むことができる。
【００１２】
一実施形態では、注入方法の実施中、各壁はタンクの外側から内側に向かって、キャリア構造体に対して設けられた二次断熱バリアと、二次断熱バリアに対して設けられた二次メンブレンと、オプションとして、二次メンブレンに対して設けられた一次断熱バリアと、一次断熱バリアに対して設けられた一次メンブレンであってタンクに入った液化ガスと接触する一次メンブレンと、を備えている。
【００１３】
一実施形態では、タンク壁の二次断熱バリアは互いに繋がって共に二次断熱空間を画定し、トレーサガスを注入するための少なくとも１つの装置を底壁の二次メンブレンに貫通させて底壁の二次断熱バリアに入れて用いることにより、トレーサガスを二次断熱空間に注入する。
【００１４】
他の一実施形態では、タンク壁の一次断熱バリアは互いに繋がって共に一次断熱空間を画定し、トレーサガスを注入するための少なくとも１つの装置を底壁の一次メンブレンに貫通させて底壁の一次断熱バリアに入れて用いることにより、トレーサガスを一次断熱空間に注入する。
【００１５】
一実施形態では、底壁のメンブレンに貫通して底壁の断熱バリアに入れたトレーサガスを注入するための装置のみを用いて、トレーサガスを注入する。
【００１６】
一実施形態では、トレーサガスを断熱空間に注入する工程の前に、断熱空間を負圧下におく。これにより、第一にトレーサガスのより良好な拡散を行うことができ、第二に、トレーサガスの濃度をより迅速に十分なレベルにすることができる。
【００１７】
一実施形態では断熱空間は、最大で−４０ｋＰａ〜−８０ｋＰａの設定負圧、例えば−６０ｋＰａのオーダの設定負圧の負圧下におく。
【００１８】
一実施形態ではトレーサガスは、前記断熱空間内部の圧力が周囲圧より若干高くなるまで、例えば相対圧で１〜６ｋＰａ、有利には相対圧で２ｋＰａのオーダ高くなるまで、断熱空間に注入される。これにより、メンブレンの耐漏性の試験の有効性を向上すべく、メンブレンの欠陥のある溶接部を通るトレーサガスの移動を促進するために断熱空間を過剰圧力下におくことができると共に、メンブレンの破損を防止するためにメンブレンに許容できる最大過剰圧力より低い過剰圧力範囲内を維持することができる。
【００１９】
一実施形態では、トレーサガスの蒸気密度は空気の蒸気密度より低い。
【００２０】
一実施形態では、トレーサガスはヘリウム、アンモニア、及び窒素と水素分子との混合気から選択されたものである。
【００２１】
一実施形態ではトレーサガスは、空気及び／又は窒素をさらに含む混合気の形態で注入される。
【００２２】
一実施形態では、底壁は２つの対称軸を有する矩形の形状を有し、これら２つの対称軸は底壁を４つの領域に区切り、トレーサガスは、トレーサガスを注入するための少なくとも４つの各装置を底壁のメンブレンに通して底壁の断熱バリアに入れて用いることにより注入され、底壁の４つの各領域に、トレーサガスを注入するための少なくとも４つの装置が１つずつ備え付けられる。
【００２３】
一実施形態では、４つの各注入装置は、底壁の各対応する領域の中心付近において耐漏性のメンブレンを貫通する。
【００２４】
一実施形態では、トレーサガスを注入するための各装置は連結部材を備えており、連結部材は、底壁のメンブレンに形成された孔の周部において当該メンブレンに耐漏性に溶接されており、連結部材は、トレーサガスの供給源に接続された管と組み合わされている。
【００２５】
一実施形態では、連結部材は筒状の連結部と、金属リングとを備えており、連結部は、トレーサガスの供給源に接続された前記管と組み合わされており、金属リングは、底壁のメンブレンに形成された孔の周部において当該メンブレンに耐漏性に溶接されていると共に、筒状の連結部に耐漏性に溶接されている。
【００２６】
一実施形態では、少なくとも１つの注入装置を用いてトレーサガスを注入する工程の前に、連結部材とメンブレンに形成された孔とに持上具を通して導入し、当該持上具のフックが底壁のメンブレンと断熱バリアとの間に挿入されるように当該持上具を位置決めすることにより、トレーサガスを注入するための装置の領域において断熱バリアからメンブレンを離す。
【００２７】
一実施形態では、少なくとも１つの注入装置を用いてトレーサガスを注入する工程の間、フックが底壁のメンブレンと断熱バリアとの間に挿入される位置に持上具を保持する。
【００２８】
一実施形態では、各注入装置はさらに、前記メンブレンに形成された孔に耐漏性に接続されている少なくとも１つの注入管を備えており、当該注入管はメンブレンのコルゲーションの内側に延在すると共に、当該注入管が延在するコルゲーションと、垂直方向のコルゲーションと、の各交差部に少なくとも１つのドリル孔を有する。
【００２９】
本発明の基礎となる他の１つの思想は、高信頼性であり迅速に実施できるメンブレンの耐漏性を試験するための方法を提供することである。
【００３０】
一実施形態では本発明は、キャリア構造体に取り付けられた複数のタンク壁により画定された多面体形状を有する耐漏性の断熱タンクのメンブレンの耐漏性を試験するための方法を提供し、各タンク壁は断熱バリアを備えており、断熱バリアは、キャリア構造体に固定された断熱要素と、断熱バリアの断熱要素に対して設けられているメンブレンと、を備えており、タンク壁の断熱バリアは互いに繋がって共に前記断熱空間を画定し、耐漏性を試験するための方法は、
−断熱空間にトレーサガスを注入するステップと、
−メンブレンと共に耐漏性の検出チャンバを画定するように構成された検出フードと、検出チャンバに結合されると共に分析装置に結合される真空ポンプと、を備えた漏れ検出装置を準備するステップと、
−検出チャンバが溶接ビードの試験対象の部分と対向配置されるように検出フードをメンブレンの断熱空間に対向する面に対して配置するステップと、
−真空ポンプを用いて検出チャンバを負圧下におくステップと、
−検出チャンバ内に存在する気相を分析装置に向かって移送するステップと、
−分析装置を用いて前記気相を分析し、当該気相中のトレーサガスの濃度を表す変数を出力するステップと、
を有する。
【００３１】
一実施形態では本発明は、耐漏性の断熱タンクのメンブレンの耐漏性を試験するための漏れ検出装置を提供し、漏れ検出装置は、メンブレンと共に耐漏性の検出チャンバを画定するように構成された検出フードと、検出チャンバに結合されると共に分析装置に結合される真空ポンプと、を備えている。
【００３２】
複数の実施形態では、メンブレンの耐漏性を試験するための方法及び／又は漏れ検出装置は、以下の特徴のうち１つ又は複数を備えることができる。
【００３３】
一実施形態では、トレーサガスを断熱空間に注入することは、トレーサガスを注入するための上記の方法を使用して実施される。しかし他の一実施形態では、トレーサガスを断熱空間に注入することは、他の方法により実施することもできる。
【００３４】
一実施形態では、分析装置は質量分析計である。
【００３５】
一実施形態では、検出フードは細長い形状を有する。
【００３６】
一実施形態では、検出フードは中央コア部と耐漏性シールとを備えており、これらは互いに取り付けられており、試験対象のメンブレンと共に検出チャンバを画定するように配置されている。
【００３７】
一実施形態では耐漏性シールは、中央コア部に取り付けられたケーシングと、ケーシングを延在する周囲耐漏性リップと、を備えている。
【００３８】
一実施形態では耐漏性シールのケーシングは、中央コア部の上面を覆う底部と、中央コア部の周部と一致する周壁と、を備えている。
【００３９】
一実施形態では、周囲耐漏性リップは検出フードの外側に向かって曲げられ、検出チャンバが負圧下におかれたときに周囲耐漏性リップがメンブレンに対して撓んで押さえ付けられるように構成されている。
【００４０】
一実施形態では、溶接ビードの前記部分はメンブレンの少なくとも１つのコルゲーションによって横切られる。
【００４１】
一実施形態では、周囲耐漏性リップは前記少なくとも１つのコルゲーションの幾何学的形態にフィットする形状である。
【００４２】
一実施形態では溶接ビードの前記部分は、メンブレンに対して平行な少なくとも２つのコルゲーションによって、例えば３つのコルゲーションによって横切られ、周囲耐漏性リップは当該少なくとも２つのコルゲーションの幾何学的形態にフィットする形状である。
【００４３】
一実施形態では周囲耐漏性リップは、タンク内部に向かって突出するメンブレンのコルゲーションの形状に対応する形状を有する少なくとも２つの凹みを有し、前記凹みは当該コルゲーションを跨ぐように形成されている。
【００４４】
一実施形態では、メンブレンの前記少なくとも１つのコルゲーションはタンク内部に向かって突出し、検出フードは、凹みが当該コルゲーションを跨ぐようにメンブレンに対して配置されている。
【００４５】
一実施形態では周囲耐漏性リップは、タンク外部に向かって突出するメンブレンのコルゲーションの形状に対応する形状を有する少なくとも２つの突出領域を備えている。
【００４６】
一実施形態では検出フードは、前記突出領域がコルゲーションに挿入されるようにメンブレンに対して配置されている。
【００４７】
一実施形態では、耐漏性シールは２０〜５０のショアＡ硬さを有するエラストマ材料から成る。
【００４８】
一実施形態では耐漏性シールのエラストマ材料は、ポリウレタンエラストマ、シリコーン、ニトリル及びヴィトン（Viton、登録商標）から選択されたものである。
【００４９】
一実施形態では検出フードには、周囲耐漏性リップを試験対象のメンブレンに押さえ付けることができる挟持システムが備えられている。
【００５０】
一実施形態では、検出チャンバの耐漏性を保証するため、検出チャンバを負圧下におく前に挟持システムを作動させる。
【００５１】
一実施形態では、耐漏性シールが少なくとも２つの凹みを有し、当該凹みが、タンク外部に向かって突出して溶接ビードの前記部分を横切るメンブレンのコルゲーションの形状に対応する形状を有する場合、挟持システムは凹みごとにクランプを有し、各クランプは２つの分岐部を有し、これらの分岐部は凹みの両側にそれぞれ配置され、メンブレンのコルゲーションに周囲耐漏性リップを挟み付ける労力を加えるように構成されている。
【００５２】
一実施形態では、検出チャンバは絶対圧力値が最大５０〜１０００Ｐａ、例えば絶対値で１００Ｐａのオーダの圧力値の負圧下におかれる。
【００５３】
一実施形態では、気相は５秒以上の時間にわたって分析される。
【００５４】
一実施形態では、前記気相中のトレーサガスの濃度を表す変数は閾値と比較され、前記気相中のトレーサガスの濃度を表す変数が当該閾値を上回る場合、溶接ビードの前記部分の耐漏性に欠陥があると判断する。
【００５５】
一実施形態では、漏れ検出装置はさらに均質化チャンバを備えており、均質化チャンバは検出チャンバと分析装置との間に配置されており、検出フードは、バルブを備えたガス流入口を備えており、均質化チャンバとガス流入口とは、検出チャンバの両端に結合されている。
【００５６】
一実施形態では、検出チャンバを負圧下におく間、ガス流入口のバルブは閉弁され、検出チャンバ内に存在する気相を移送する工程は、
−ガス流入口のバルブを開弁し、検出チャンバ内に存在する気相を均質化チャンバへ移送するステップと、
−均質化チャンバから気相を分析装置へ向かって移送するステップと、
を有する。
【００５７】
一実施形態では本発明は、断熱空間内へのトレーサガスの拡散をモニタリングするための方法を提供する。
【００５８】
一実施形態では、トレーサガスの拡散をモニタリングするための方法は、耐漏性を試験するための上記の方法を行う間に実施される。しかし他の一実施形態では、上記の方法とは関係なく実施することもできる。
【００５９】
一実施形態では、断熱空間内へのトレーサガスの拡散のモニタリングは、
−それぞれ１つのタンク壁のメンブレンを横切る複数のサンプリング装置を用いて、断熱空間内に存在するガスをサンプリングするステップと、
−サンプリングしたガスを例えば質量分析計等の分析装置へ移送するステップと、
を有する。
【００６０】
一実施形態では、サンプリング装置は有利には、２つ又は３つのタンク壁のジャンクションに形成された角領域付近に配置される。
【００６１】
一実施形態では、各ガスサンプリング装置はカバープレートを備えており、カバープレートは、メンブレンの２つの要素のジャンクションにある溶接が無いメンブレンの領域を包囲するパテビード（cordon de mastic）を用いて、当該メンブレンに結合され、カバープレートは孔と、分析装置に接続された管に結合される連結部と、を備えており、当該連結部は、カバープレートの孔の周囲に耐漏性に溶接されている。
【００６２】
一実施形態では、ガスサンプリング装置は連結部材を備えており、連結部材は、分析装置に接続された管に耐漏性に結合されるジョイント片と、肩部と、当該肩部から突出するねじ付き下部ロッドと、を備えており、ねじ付き下部ロッドは二次メンブレンを貫通して、断熱バリアに取り付けられたプレートに形成されたねじ孔に螺入され、ガスサンプリング装置はさらに環状の耐漏性シールを備えており、環状の耐漏性シールは下部ロッドに螺合されて二次メンブレンと肩部との間に挟まれ、連結部材はドリル孔を有し、ドリル孔はジョイント片と断熱空間とにおいて開口している。
【００６３】
添付図面を参照した本発明の複数の具体的な実施形態についての以下の説明より、本発明をより良好に理解することができ、また、本発明の他の目的、詳細、特性及び利点がより明らかとなる。これら複数の具体的な実施形態は例示に過ぎず、本発明を限定するものではない。
【図面の簡単な説明】
【００６４】
【図１】メンブレンタンクの壁の多層構造の概略図である。
【図２】タンクの底壁のメンブレンを貫通するように配置されたトレーサガスを注入するための装置を示す耐漏性の断熱タンクの概略的な部分図である。
【図３】タンクの底壁のメンブレンを貫通する孔の細部斜視図である。
【図４】第１の実施形態のトレーサガスを注入するための装置の細部斜視図である。
【図５】図４のトレーサガスを注入するための装置と、断熱層からメンブレンを離すために注入装置に通されて導入された持上具の断面図である。
【図６】一実施形態のトレーサガスを注入するための装置の斜視図である。
【図７】第２の実施形態のトレーサガスを注入するための装置の配置を示すタンクの概略的な斜視図である。
【図８】第２の実施形態のトレーサガスを注入するための装置の開口と、筒状の連結部と、多経路分配部材と、を示す細部平面図である。
【図９】第２の実施形態の注入装置の開口及び筒状の連結部を示す断面図である。
【図１０】第２の実施形態のトレーサガスを注入するための装置の注入管の部分図である。
【図１１】メンブレンの２つのコルゲーションの交差領域における図１０の注入管の断面図である。
【図１２】第１の実施形態のガスサンプリング装置を受けるメンブレンの２つのシートのジャンクションにある無溶接領域の平面図である。
【図１３】図１２に示されている無溶接領域に配置されるガスサンプリング装置の平面図である。
【図１４】第２の実施形態のガスサンプリング装置の断面図である。
【図１５】第１の実施形態の漏れ検出装置の概略図である。
【図１６】図１５の漏れ検出装置の検出フードの横断面図である。
【図１７】第１の実施形態の耐漏性シールの斜視図である。
【図１８】検出フードに挟持システムが備え付けられた他の代替形態の漏れ検出装置の概略図である。
【図１９】第２の実施形態の耐漏性シールの斜視図である。
【図２０】メンブレンの２つの隣り合うコルゲート状のメタルシート間で耐漏性を保証する溶接ビードの一部に検出フードを対向配置する概略図である。
【図２１】第２の実施形態の漏れ検出装置の概略図である。
【発明を実施するための形態】
【００６５】
以下説明する耐漏性を試験するための方法は具体的には、耐漏性の断熱メンブレンタンクのメンブレンの耐漏性の試験をターゲットとする。例えばかかるメンブレンタンクは、特にＷＯ１４０５７２２１及びＦＲ２６９１５２０に記載されており、前者はMark V技術、後者はMark III技術に関するものである。
【００６６】
メンブレンタンクは複数の壁を有し、これら複数の壁は、例えば図１に示されているような多層構造を呈する。各壁１は、タンクの外側から内側に向かって、キャリア構造体４に固定された二次断熱パネル３を有する二次断熱バリア２と、二次断熱バリア２に対して設けられた二次メンブレン５と、二次メンブレン２に対して設けられると共にキャリア構造体４又は二次断熱パネル３に固定された一次断熱パネル７を有する一次断熱バリア６と、一次断熱バリア６に対して設けられた一次メンブレン８であって、タンクに入っている液化ガスと接触する一次メンブレン８と、を備えている。
【００６７】
タンクの全体的な形状は多面体である。図２に示されている実施形態では、タンクは前壁９と、図示されていない後壁とを備えており、これらは本実施形態では八角形である。タンクはまた、天井壁１０と底壁１１と側壁１１，１２，１３，１４，１５，１６，１７とを備えており、これらはタンクの縦方向において前壁９と後壁との間に延在する。
【００６８】
タンク壁の二次断熱バリア２は互いに繋がって、キャリア構造体４と二次メンブレン５との間に二次断熱空間を形成する。この二次断熱空間は耐漏性である。タンク壁の一次断熱バリア６も同様に、互いに繋がって二次メンブレン５と一次メンブレン８との間に一次断熱空間を形成し、この一次断熱空間は耐漏性である。
【００６９】
一次メンブレン８及び二次メンブレン５のうち少なくとも１つは複数のメタルシートを有し、これら複数のメタルシートは互いに溶接されている。下記で説明する耐漏性試験方法は具体的には、メタルシートを互いに結合できる溶接部の耐漏性の試験をターゲットとする。一実施形態では試験対象のメンブレンは、タンク内に貯蔵されている流体により生じる熱的応力及び機械的応力の作用を受けて曲げ変形できるコルゲーションを有する。こうするためには、例えば図２０に示されているように、各メタルシートは、互いに垂直な２つのコルゲーション列を有する。
【００７０】
耐漏性試験方法は、
−耐漏性試験を行おうとしているメンブレン５，８により覆われた断熱空間内へトレーサガスを拡散する工程と、
−断熱空間内へのトレーサガスの拡散をモニタリングする工程と、
−メンブレン５，８の溶接部の耐漏性をチェックする工程と、
の３つの工程を有し、これらの各工程については以下にて詳細に説明する。
【００７１】
＜トレーサガスの拡散＞
トレーサガスは、耐漏性チェックを行おうとしているメンブレン５，８により覆われた断熱空間内へ注入される。二次メンブレン５の耐漏性をチェックしたい場合には、トレーサガスは二次断熱空間内へ注入される。この場合、耐漏性試験方法は、一次断熱バリア７と一次メンブレン８とが設置される前に実施される。一次メンブレン８の耐漏性をチェックしたい場合には、トレーサガスは一次断熱空間内へ注入される。
【００７２】
トレーサガスは例えば、ヘリウム、アンモニア、及び窒素と水素分子との混合気から選択される。一実施形態ではトレーサガスは、さらに空気及び／又は窒素を含む混合気の形態で注入される。
【００７３】
有利には、断熱空間内へのトレーサガスの拡散を促進するため、断熱空間は事前に、−４０ｋＰａ〜−８０ｋＰａの設定負圧、例えば−６０ｋＰａの設定負圧に達するまで、負圧下におかれる。
【００７４】
こうするためには断熱空間は、当該断熱空間内に存在するガスを吸入して当該断熱空間外へ排出することができる不図示の真空ポンプに接続される。断熱空間にはさらに、当該断熱空間内の圧力を表す信号を出力できる１つ又は複数の圧力センサが備えられており、これにより真空ポンプの制御を保証することができる。
【００７５】
その後、断熱空間内の圧力が設定負圧に達した場合、当該断熱空間内の圧力が周囲圧より若干高くなるまで、例えば相対圧で１〜６ｋＰａ、有利には相対圧で２ｋＰａのオーダ高くなるまで、トレーサガスが断熱空間に注入される。
【００７６】
図２は、耐漏性の断熱タンクと、断熱空間にトレーサガスを注入するためのシステムと、を概略的に示す図である。
【００７７】
この注入システムは複数の管１８を備えており、これらの管１８は、不図示のトレーサガスの供給源に接続されていると共に、トレーサガスを注入するための装置１９に接続されており、管１８によって、耐漏性試験対象のメンブレン５，８にトレーサガスを通して注入するための通路が形成される。具体的には、トレーサガスを注入するための装置１９は、底壁１１のメンブレンを貫通するトレーサガスの通路を形成する。かかる配置構成は、トレーサガスの蒸気密度が空気の蒸気密度より低く、断熱空間内で上昇する傾向にあるため、特に有利である。よって、底部から、底壁１１の試験対象のメンブレン５，８にトレーサガスを通して注入することにより、断熱空間内へのトレーサガスの迅速かつ均質な拡散を保証することができる。
【００７８】
図２に示されている実施形態では、底壁１１には、トレーサガスを注入するための装置１９が少なくとも４つ備え付けられており、これらは底壁１１の表面に均等に分布している。底壁１１は矩形の形状を有するので、その２つの対称軸ｘ及びｙによって、等しい表面積の４つの領域に分割することができる。これら４つのトレーサガスを注入するための装置１９はそれぞれ、上記の４つの領域のうち１つに配置されている。この図示されている具体的な実施形態では、トレーサガスを注入するための各装置１９は、各自の領域の中心付近に配置されている。具体的な一実施形態では、トレーサガスを注入するための各装置は、隣の縦辺からＬの１／４の距離に、かつ隣の横辺からＢの１／４の距離に配置される。ここで、Ｌは底壁１１の縦寸法であり、Ｂは底壁１１の横寸法である。
【００７９】
図３〜５は、例えばMark III型又はMark V型等のコルゲート状の一次メンブレンからトレーサガスを注入するための装置１９の細部図である。本事例では、一次メンブレン８のコルゲーションはタンクの内側の方向に突出する。トレーサガスを注入するための各装置１９は、図３に示されている孔２０を有し、この孔２０は一次メンブレン８を貫通するよう形成されている。孔２０は一次メンブレンの平坦領域２１に形成されており、この平坦領域２１は、底壁１１の縦方向に沿った２つのコルゲーションと、当該底壁１１の横方向に沿った２つのコルゲーションと、によって区切られたものである。その開口部は有利には、前記平坦領域２１の中心に配置される。
【００８０】
図４に示されているように、一次メンブレン８の孔２０の周部に連結部材２２が耐漏性に溶接されている。この連結部材２２は、トレーサガスの供給源に接続された管１８に連結される筒状の連結部２３を備えている。こうするためには、筒状の連結部２３はねじ付き端部を有し、これは、トレーサガスの供給源に接続された管１８の相補的な連結部を受けるように構成されている。筒状の連結部２３は金属リング２４に耐漏性に溶接されており、この金属リング２４自体は、トレーサガスを注入するための装置１９の耐漏性を保証するように、一次メンブレン８の孔２０の周囲全体に耐漏性に溶接されている。
【００８１】
一実施形態では、図５に示されているように、一次メンブレン８が設けられている一次断熱パネル７のトレーサガスの注入領域からこの一次メンブレン８を離すため、持上具２５が使用される。これにより、一次断熱空間内へのトレーサガスの拡散が促進される。持上具２５の全体的な形状はＬ字形であり、持上具２５はハンドル２６と、当該ハンドル２６の端部に配置されたフック２７とを有し、フック２７は当該ハンドル２６に対して垂直に延在する。持上具２５は連結部材２２に通されて導入され、一次メンブレン８と、当該一次メンブレン８を支持する一次断熱パネル７の表面と、の間にフック２７を挿入するように配置される。これにより、トレーサガスの拡散を促進するために前記一次メンブレン８を離すことができる。
【００８２】
持上具２５は、トレーサガスの供給源に接続された管１８が連結部材２２に連結される前に、定位置におかれる。また有利には、トレーサガスの供給源に接続された管１８に連結部材２２を連結するときと、トレーサガスを注入するための装置１９にトレーサガスを介してトレーサガスを一次断熱空間内に導入するときに、持上具を定位置に保持する。
【００８３】
図６は、例えばMark V型等のコルゲート状の二次メンブレン５を貫通するように形成されたトレーサガスを注入するための装置１９を示す図である。このコルゲート状の二次メンブレン５が、図３〜５に示されている一次メンブレン８と特に相違する点は、コルゲーションがタンクの外側に向かって突出していることであり、それに対して図３〜５では、コルゲーションはタンクの内側の方向に突出していた。先の実施形態と同様に、トレーサガスを注入するための各装置１９はメンブレンの平坦領域２１に配置されており、この平坦領域２１は、底壁１１の縦方向に沿った２つのコルゲーションと、当該底壁１１の横方向に沿った２つのコルゲーションと、によって区切られたものである。さらに、トレーサガスを注入するための各装置１９は、図３〜５を参照して図示及び記載されているものと同一の構造を有する。さらに、二次メンブレン５が設けられている二次断熱パネル３のトレーサガスの注入領域からこの二次メンブレン５を離すため、持上具２５を使用することもできる。
【００８４】
図７〜１１は、他の一実施形態のトレーサガスを注入するための装置２８を示す図である。同図は、図２〜５を参照して図示及び記載した構造より複雑な構造を示しているが、これらのトレーサガスを注入するための装置の利点は、トレーサガスの拡散を促進するため、例えばアンモニア等の高粘度を有するトレーサガスの注入に特に適していることである。
【００８５】
本実施形態では、トレーサガスを注入するための各装置２８は、図７及び図８に示されている孔２９を有し、これは一次メンブレン８に形成されている。図示の実施形態では、孔２９は金属プレート３０を貫通するように形成されており、この金属プレート３０は一次断熱バリア６の一次断熱パネル７に取り付けられており、金属プレート３０には一次メンブレン８のコルゲート状のメタルシートが耐漏性に溶接されている。図９に示されているように、孔２９の周部には、トレーサガスの供給源に接続された管１８に連結される連結部材３１が、耐漏性に溶接されている。さらに、孔２９は多経路分配部材３２にも耐漏性に結合されており、この多経路分配部材３２は、一次断熱パネル７に形成された収容部内に配置されており、開口２９から１つ又は複数の注入管３３に向かってトレーサガスを移送できるものである。例えば図９では、多経路分配部材３２は２つの整列した注入管３３に結合されている。
【００８６】
図１０及び図１１に示されているように、各注入管３３はそれぞれ、一次断熱バリア６の１つ又は複数の一次断熱パネル７に取り付けられており、タンクの内部の方向に突出する一次メンブレン８の１つのコルゲーションの内側に延在する。各注入管３３は、当該注入管３３を収容するコルゲーションと、当該コルゲーションに対して垂直なコルゲーションと、の各交差部にある１つ又は２つのドリル孔３４を有する。ドリル孔３４の向きは、注入管３３を収容するコルゲーションに対して垂直なコルゲーションの方向となっていることにより、横切られるコルゲーションに対して垂直なコルゲーションの列に向かってトレーサガスを移送することができる。このようにしてトレーサガスは、一次メンブレン８のコルゲーション網を通じて一次断熱空間内に拡散される。
【００８７】
図１０では、一実施形態の底壁１１の一次断熱バリアにおける注入管３３の配置が観察される。矢印は、注入管に形成されたドリル孔３４を通るトレーサガスの注入方向を表している。底壁１１の各辺に沿って１つ又は複数の注入管３３が配置されており、注入管３３は２つのコルゲーションの各交差部に、隣のタンク壁を向いている少なくとも１つのドリル孔を有する。このようにしてこれらの注入管３３により、底壁１１から他のタンク壁の方向にトレーサガスを拡散させることができる。
【００８８】
同図の実施形態ではさらに、底壁１１の断熱バリアは注入管３３の１つ又は２つの列を有し、この各列は、向きがタンクの縦方向である底壁１１の一次メンブレンのコルゲーションであって底壁１１の中央領域に配されているコルゲーション内に配置されている。上記の注入管３３は、当該注入管３３を収容するコルゲーションと、当該コルゲーションに対して垂直なコルゲーションと、の各交差部に、２つのドリル孔３４を有し、これら２つのドリル孔３４の向きは互いに逆方向になっている。
【００８９】
＜トレーサガスの拡散のモニタリング＞
有利には、トレーサガスを断熱空間全体に拡散完了した際に、断熱空間内へのトレーサガスの拡散をモニタリングする。
【００９０】
こうするためには、断熱空間を覆うメンブレンに通されて設置された複数のガスサンプリング装置を用いて、トレーサガスを注入した断熱空間内に存在するガスをサンプリングする。各サンプリング装置は、トレーサガスの存在を確認して断熱空間の該当する領域におけるトレーサガスの濃度を確認できる質量分析計等の分析装置に接続されている。
【００９１】
有利には、各タンク壁９，１０，１１，１２，１３，１４，１５，１６に少なくとも１つのガスサンプリング装置が配置されている。ガスサンプリング装置は有利には、タンク壁間の角領域付近に配置される。というのも、かかる領域における断熱バリアの構造は特殊であるため、当該領域はトレーサガスの接近が最も困難な領域だからである。
【００９２】
図１２及び図１３を参照して、一次メンブレン８を介して一次断熱空間内のガスをサンプリングできるガスサンプリング装置について説明する。
【００９３】
図１２に示されているように、一次メンブレン８は２つの隣り合うメタルシート３８，３９のジャンクションに無溶接領域４０を有する。ガスサンプリング装置３５は、図１３に示されているカバープレート４１を備えており、これは耐漏性のパテビード４２を用いて一次メンブレン８と組み合わされている。パテビード４２は無溶接領域４０を包囲する。カバープレート４１は孔４３を有し、当該孔４３の周囲で耐漏性に溶接された筒状の連結部４４を支持する。筒状の連結部４４は、分析装置に接続された管に連結されるものである。
【００９４】
図１４及び図１５を参照して、二次メンブレン５を介して二次断熱空間内のガスをサンプリングできるガスサンプリング装置４５について説明する。かかるガスサンプリング装置４５は、二次メンブレン５のうち、二次メンブレン５に通されて一次断熱バリア６の一次断熱パネル７を二次断熱バリア２に取り付けるのを保証する固定部材に横切られる領域に配置される。サンプリング装置４５は連結部材４６を備えており、連結部材４６は、分析装置に接続された管に耐漏性に連結されるジョイント片４７を有する。連結部材はねじ付き下部ロッド４８も有し、ねじ付き下部ロッド４８はねじ孔４９に螺入される。このねじ孔４９はその後、一次断熱バリア６を設置する際に一次断熱バリア６の一次断熱パネル７の固定部材を受ける。ねじ孔４９は例えば、二次断熱パネル３に取り付けられる金属プレート５０に形成される。さらに連結部材４５は、下部ロッド４８に螺合される環状の耐漏性シール５２と、肩部５１と、を備えており、肩部５１は、ガスサンプリング装置４５の耐漏性を保証すべく二次メンブレン５の下面に向かって環状の耐漏性シール５２を押さえ付けるように構成されている。連結部材４６もドリル孔５３を有し、これはジョイント片４７と二次断熱空間とにおいて開口している。
【００９５】
各サンプリング領域においてトレーサガスの濃度が最小濃度閾値に達した場合、溶接部の耐漏性をチェックする工程を行うことができる。
【００９６】
さらに一実施形態では、溶接部の耐漏性のチェック中、トレーサガスの濃度が最小濃度閾値を下回るか否かを判断するため、サンプリング領域におけるトレーサガスの濃度を定期的にモニタリングする。かかる場合、トレーサガスの濃度を上記の最小濃度閾値より再び高くするため、トレーサガスを断熱空間に再注入することができる。
【００９７】
＜溶接部の耐漏性のチェック＞
メンブレン５，８の溶接ビードの耐漏性を確認するためには、図１５に示されているように漏れ検出装置５４を使用する。
【００９８】
漏れ検出装置５４は検出フード５５を備えており、これは、溶接ビードの試験対象部分を向くようにメンブレン５，８の内面に対向配置される。
【００９９】
検出フード５５は細長い形状を有し、０．５〜３ｍの長さ、例えば１ｍのオーダの長さを有する。
【０１００】
図１６に示されているように、検出フード５５は剛性の中央コア部５９と可撓性の耐漏性シール６０とを備えており、これらは互いに取り付けられ、試験対象のメンブレン５，８と共に、溶接ビードの試験対象部分６２側に配される耐漏性の検出チャンバ６１を画定するように配置される。
【０１０１】
図１５を再び参照すると、漏れ検出装置５４は分析装置５６も備えているのが観察され、これは検出チャンバ６１に結合されてトレーサガスの検出を行うためのものである。分析装置５６が閾値を上回る量のトレーサガスを検出した場合、溶接ビードの試験対象部分６２の耐漏性に欠陥があると判断することができる。一実施形態では、分析装置５６は質量分析計である。
【０１０２】
漏れ検出装置５４は真空ポンプ５７も備えており、これは分析装置５６と組み合わされる。真空ポンプ５７は、検出フード５５の検出チャンバ内に負圧を生じることができるように当該検出チャンバに連結されると共に、検出チャンバ６１内に存在するガスを分析装置５６に向けて移送するために分析装置５６に連結されている。
【０１０３】
真空ポンプ５７は管５８を介して検出フード５５に接続されており、この管５８は好適には可撓性である。管５８は、中央コア部５９内に形成され検出チャンバ６１に開通する流路に連結される。
【０１０４】
図１６及び図１７に示されているように耐漏性シール６０は、中央コア部５９の形状と一致するケーシング６３と、ケーシング６３の下方に延在する周囲耐漏性リップ６４と、を有する。ケーシングは、中央コア部５９の上表面を覆う底部と、中央コア部５９の周部と一致する周壁７４と、を有する。底部は少なくとも１つの不図示の孔を有し、真空ポンプ５７に接続される管５８がこの孔に耐漏性に連結される。
【０１０５】
周囲耐漏性リップ６４は検出フード５５の外側に向かって曲げられて、耐漏性のチャンバ６１が負圧下におかれたときにメンブレン５，８に対して撓んで押さえ付けられるように構成されている。換言すると周囲耐漏性リップ６４は、全体的な形状がＬ字形の部分を有する。
【０１０６】
周囲耐漏性リップ６４の外側に向かって曲げられた部分の幅は、１５〜４０ｍｍのオーダである。周囲耐漏性リップ６４は、試験対象の溶接ビードに沿ってメンブレン５，８の幾何学的形態にフィットする形状である。よって、図１７では周囲耐漏性リップ６４は、検出フード５５が溶接ビードの試験対象部分６２に対して配置されたときに跨ぐメンブレン５，８のコルゲーションの形状に一致する形状を有する凹み６５を有することとなる。
【０１０７】
耐漏性シール６０は有利には、２０〜５０のショアＡ硬さを有するエラストマ材料から成る。耐漏性シールは例えば、ポリウレタンエラストマ、シリコーン、ニトリル又はヴィトン（Viton、登録商標）から成る。
【０１０８】
図１８に概略的に示されている実施形態では、検出フード５５にはさらに挟持システム６６が備え付けられており、挟持システム６６は、検出チャンバ６１の耐漏性を保証するため、試験対象のメンブレン８に周囲耐漏性リップ６４を押さえ付けることができる。挟持システム６６は本事例では、周囲耐漏性リップ６４の各凹み６５にクランプ６７を備えている。各クランプ６７は２つの分岐部を有し、これらの分岐部は凹み６５の両側にそれぞれ配置され、各クランプ６７は周囲耐漏性リップ６４をメンブレン８に挟み付ける労力を加えるように構成されている。有利には分岐部は、コルゲーションのふもと付近で周囲耐漏性リップ６４を耐漏性のメンブレンに挟み付けるように構成されている。
【０１０９】
さらに図示の実施形態では、挟持システム６６は検出フード５５の長手方向の各端部に可動のフィンガ６８を備えており、この各フィンガ６８は、周囲耐漏性リップ６４の長手方向の端部のうち一方をメンブレン８に押さえ付けるように構成されている。
【０１１０】
図１９は、他の代替的な一実施形態の耐漏性シール６０を示す。耐漏性シール６０は、コルゲーションがタンクの外側に向かって突出するメンブレン５にフィットする形状となっている。かかるメンブレンは例えば、図６に示されているようなMark V技術の二次メンブレン５である。よって、周囲耐漏性リップ６４はメンブレン５のコルゲーションの内側に挿入される突出領域６９を有する。
【０１１１】
溶接ビードの耐漏性欠陥を検出するための手順は、以下の通りである。
【０１１２】
第１のステップでは、図２０に示されているように検出フード５５を溶接ビードの試験対象部分６２に対向配置する。
【０１１３】
周囲耐漏性リップ６４の曲げ部分の２つの側方部分が溶接ビード６２の両側に配置されるように、検出フード５５を溶接ビード６２に対して適切に確実にセンタリングすることが好ましい。
【０１１４】
その後、真空ポンプ５７を始動して検出チャンバ６１を負圧下におき、トレーサガスが溶接ビード６２の欠陥領域を通って移動するのを促進する。
【０１１５】
検出チャンバ６１内部の圧力が圧力閾値Ｐｔを下回ると直ちに、検出チャンバ６１からガス流を分析装置５６に向けて移送し、トレーサガスの漏れ流量φを最小時間Ｔｍにわたって測定する。その後、漏れ流量φを閾値φｔと比較する。
【０１１６】
漏れ流量φが閾値φｔを下回る場合には、溶接ビードの試験対象部分６２は耐漏性欠陥を有しないと判断する。この場合にはその後、検出フード５５を溶接ビードの隣の一部６２に対向配置し、連続して試験される２つの一部分の間に重なりが出るようにして、当該溶接ビード６２の全長にわたって溶接ビード６２の耐漏性の試験が完了することを保証する。
【０１１７】
他方、漏れ流量φが閾値φｔ以上である場合には、溶接ビード６２の試験対象部分が耐漏性欠陥を有すると判断する。その場合には、欠陥を修正するために修正溶接措置を行う。
【０１１８】
例えば、断熱空間内のヘリウム濃度が２０％のオーダである場合、測定漏れ流量の圧力閾値は絶対圧で５０〜１０００Ｐａ、例えば絶対圧で１００Ｐａのオーダであり、漏れ流量の測定の最小持続時間は５秒であり、閾値φｔは１．０×１０−６Ｐａ・ｍ３・ｓ−１のオーダである。
【０１１９】
図２１は、他の一実施形態の漏れ検出装置５４を示す。本実施形態が上記の実施形態と相違する点は、さらに均質化チャンバ７０を備えていることと、検出フード５５がガス流入口７１を備えていることであり、均質化チャンバ７０は検出チャンバ６１と分析装置５６との間に配置されている。
【０１２０】
ガス流入口７１には、検出チャンバ６１に向かう周囲空気の流れを確立又は遮断するためのバルブが備え付けられている。均質化チャンバ７０は検出チャンバ６１の一端に結合されていると共に、ガス流入口７１は検出チャンバ６１の他端に結合されている。
【０１２１】
漏れ検出装置の動作態様は、以下の通りである。
【０１２２】
検出フード５５を溶接ビードの試験対象部分６２に向けて配置するときは、検出チャンバ６１を負圧下におくため、ガス流入口７１のバルブを閉弁して真空ポンプ５７を始動する。検出チャンバ６１内部の圧力が圧力閾値Ｐｔを下回ると直ちに、ガス流入口７１のバルブが開弁して、この耐漏性のチャンバ内に存在していたガスの全部が均質化チャンバ７０に向かって移送される。均質化チャンバ７０の容積は検出チャンバ６１の容積より大きく、均質化チャンバ７０は例えば、検出チャンバ６１内に存在するガスの全部を正確に吸い上げるのを可能にするピストンシステムを備えている。
【０１２３】
その後、トレーサガスの漏れ流量φを求めるため、均質化チャンバ７０内に存在するガスを分析装置５６の方向に移送する。
【０１２４】
かかる実施形態の有利な点は、検出フード５５の内側におけるトレーサガスの拡散時間を短縮することができ、これにより最小測定時間を短縮できることである。これが特に有利となるのは、検出フード５５が非常に長いためトレーサガスが検出フード５５の一端から他端へ移動する時間が長くなる可能性がある場合、及び／又は、検出チャンバ６１内部の負圧が不十分である場合である。
【０１２５】
複数の特定の実施形態を参照して本発明を説明したが、本発明はこれらの実施形態に何ら限定されることはなく、ここで記載されている手段の技術的均等態様及びその組み合わせが本発明の範囲に属する場合には、これらも全て本発明に含まれることが非常に明らかである。
【０１２６】
動詞「備える」又は「含む」及びその活用形を使用した場合には、請求項に記載された要素又は工程以外の他の要素又は工程の存在を排除するものではない。
【０１２７】
請求項において、括弧内のいかなる符号も、当該請求項を限定するものと解釈すべきものではない。
【図１】
2021518542.tif 000003
【図２】
2021518542.tif 000004
【図３】
2021518542.tif 000005
【図４】
2021518542.tif 000006
【図５】
2021518542.tif 000007
【図６】
2021518542.tif 000008
【図７】
2021518542.tif 000009
【図８】
2021518542.tif 000010
【図９】
2021518542.tif 000011
【図１０】
2021518542.tif 000012
【図１１】
2021518542.tif 000013
【図１２】
2021518542.tif 000014
【図１３】
2021518542.tif 000015
【図１４】
2021518542.tif 000016
【図１５】
2021518542.tif 000017
【図１６】
2021518542.tif 000018
【図１７】
2021518542.tif 000019
【図１８】
2021518542.tif 000020
【図１９】
2021518542.tif 000021
【図２０】
2021518542.tif 000022
【図２１】
2021518542.tif 000023
【国際調査報告】
2021518542.tif 000024
2021518542.tif 000025
2021518542.tif 000026
2021518542.tif 000027
2021518542.tif 000028